(57)【要約】【課題】  メンテナンスや調整、新台への入れ替え等による遊技機の移動作業を容易にする。【解決手段】  メダル搬送ラインに設けたメダルの分配路から遊技機の背面に設けたメダルの受入口へメダル供給を中継する中継部４０を設ける。中継部４０はその上面に取込口４１を開口し、下面に遊技機の受入口と連通される排出口４２を開口し、底面はメダルｍを排出口４２へ滑落させる傾斜面４３を形成し、長手方向の側壁４４は分離して複数の掛止穴４５と突起４７で取り付け位置を上下方向へ変更可能に脱着自在にしており、遊技機とは反対側に面する側壁４４を分配路のノズルが接触せず且つメダルが外部へこぼれない間隔となる位置に取り付けて設置することで、稼動時にはメダルを従来通り円滑に供給し、遊技機の水平移動時には中継部４０の取り外し作業を省略でき、メンテナンスや調整、新台への入れ替え作業を迅速に実施できる。【選択図】  図２
2008173147.tif 000002
【特許請求の範囲】
【請求項１】
メダル搬送ラインに設けたメダルの分配路と遊技機の背面に設けたメダルの受入口との間のメダル供給経路の構造であって、分配路から遊技機の受入口へメダルを導く中継部を設け、同中継部はその上面に取込口を形成し、下面に遊技機の受入口と連通する排出口を形成し、遊技機の幅方向の対向する側壁をそれぞれ分離してその取り付け位置を上下方向へ変更可能に脱着自在にし、中継部と遊技機とを固定し、中継部と分配路とは固定しない構造としたことを特徴とする、遊技機のメダル供給経路の構造。
【請求項２】
中継部が遊技機の幅方向に横長形状で、上面の取込口を横長に形成し、下面の排出口を片方寄りの位置に形成した、請求項１記載の遊技機のメダル供給経路の構造。
【請求項３】
中継部の排出口と遊技機の受入口との間に接続部材を介装し、同接続部材に排出口を中継部が左右逆向きに脱着可能に固定した、請求項２記載の遊技機のメダル供給経路の構造。
【請求項４】
接続部材に中継部を遊技機の奥行き方向へ位置変更可能に取り付けできる構造とした、請求項３記載の遊技機のメダル供給経路の構造。
【発明の詳細な説明】
【技術分野】
【０００１】
本発明は、メダル搬送ラインに設けたメダルの分配路と遊技機の背面に設けたメダルの受入口との間のメダル供給経路の構造に関する。
【背景技術】
【０００２】
従来、遊技設備のメダル自動補給装置が特許文献１に開示されている。この技術は、隣設される複数の遊技機にメダルを搬送する搬送ラインを設け、搬送ラインのメダルを分配する複数の分配路を所定間隔おいて設け、搬送ラインを流れるメダルを塞き止めて分配路へ誘導する取込装置を設け、メダルの受入口を背面に備えた遊技機を各分配路の下方の定位置にそれぞれ設置し、分配路から受入口へメダルを送り込む送給路を接続している。
【０００３】
ところで、前記技術の送給路は容易に外れないように分配路と受入口に比較的強固に接続されているから、頻繁に実施されるメンテナンスや調整、新台への入れ替え等で遊技機を水平に移動する際は、送給路の取り外しが面倒で作業に手間を要していた。
【０００４】
また、送給路の取り外し作業を省略できるメダル供給経路の構造も提案されており、分配路から遊技機へメダルを導く中継部を遊技機の受入口に取り付け、その上面の取込口は分配路のノズルと固定しないようにした構造である。しかしながら、遊技機の受入口や搬送ラインの高さ位置によっては遊技機を水平に移動する際に分配路のノズルが中継部と接触して中継部の取り外し作業が必要な場合があり、作業の省力化がさらに求められていた。
【特許文献１】特開２００４−２３６７８３号公報
【発明の開示】
【発明が解決しようとする課題】
【０００５】
本発明が解決しようとする課題は、従来のこれらの問題点を解消し、メンテナンスや調整、新台への入れ替え等による遊技機の移動作業を容易にする遊技機のメダル供給経路の構造を提供することにある。
【課題を解決するための手段】
【０００６】
かかる課題を解決した本発明の構成は、
１）  メダル搬送ラインに設けたメダルの分配路と遊技機の背面に設けたメダルの受入口との間のメダル供給経路の構造であって、分配路から遊技機の受入口へメダルを導く中継部を設け、同中継部はその上面に取込口を形成し、下面に遊技機の受入口と連通する排出口を形成し、遊技機の幅方向の対向する側壁をそれぞれ分離してその取り付け位置を上下方向へ変更可能に脱着自在にし、中継部と遊技機とを固定し、中継部と分配路とは固定しない構造としたことを特徴とする、遊技機のメダル供給経路の構造
２）  中継部が遊技機の幅方向に横長形状で、上面の取込口を横長に形成し、下面の排出口を片方寄りの位置に形成した、前記１）記載の遊技機のメダル供給経路の構造
３）  中継部の排出口と遊技機の受入口との間に接続部材を介装し、同接続部材に排出口を中継部が左右逆向きに脱着可能に固定した、前記２）記載の遊技機のメダル供給経路の構造
４）  接続部材に中継部を遊技機の奥行き方向へ位置変更可能に取り付けできる構造とした、前記３）記載の遊技機のメダル供給経路の構造
にある。
【発明の効果】
【０００７】
本発明によれば、遊技機の受入口や搬送ラインの高さに応じて中継部の側壁を分配路のノズルが接触しない位置で且つメダルが外部へこぼれない間隔となる位置に取り付けて設置することで、稼動時にはメダルは従来通り円滑に供給され、遊技機の水平移動時には従来の面倒な取り外し作業を省略してそのまま引き出すことができ、メンテナンスや調整、新台への入れ替え作業を迅速に実施できる。
【発明を実施するための最良の形態】
【０００８】
本発明では、側壁の取り付け位置の変更手段としては、側壁を複数の掛止穴と突起で脱着自在にする方法の他に、側壁を上下方向へスライドさせる方法があり、少なくとも遊技機の水平移動時に分配路のノズルが接触しない位置で且つメダルが外部へこぼれない間隔（１０〜２０ｍｍ）となる位置に保持させる。中継部の取込口を横長に形成し、下面の排出口を片方寄りの位置に形成すると、受入口の位置が左右に異なっても分配路のノズルが取込口の横幅の範囲内に配置されれば遊技機を左右にずらすことなく定位置に設置できる。また、受入口に取り付けた接続部材に排出口を中継部が左右逆向きに脱着可能に固定すると、中継部を左右逆向きに固定してメダルの取り込み可能範囲を遊技機の幅方向へ移行させることで、受入口の位置が取込口の横幅以上に大きく異なる遊技機でも定位置への設置を維持できる。接続部材に中継部を遊技機の奥行き方向へ位置変更可能に取り付けできる構造とすると、奥行きの異なる遊技機の設置位置を前後方向へ容易に調整できる。以下、本発明の各実施例を図面に基づいて具体的に説明する。
【実施例１】
【０００９】
図１〜５に示す実施例１は、接続部材を用いて中継部を左右逆向きに脱着可能に固定したメダル供給経路の構造の例である。図１は実施例１のメダル供給経路の側面図、図２は実施例１の中継部の一部切り欠き分解斜視図、図３は実施例１の中継部の側壁の取り付けパターンを示す説明図、図４は実施例１の中継部の取り付けパターンを示す説明図、図５は実施例１の遊技機の設置位置の調整を示す説明図である。
【００１０】
図中、１０は遊技機、１１は筐体、１２は受入口、１３はホッパー、２０はメダル搬送ライン、３０は分配路、３１はノズル、４０は中継部、４１は取込口、４２は排出口、４３は傾斜面、４４は側壁、４５は掛止穴、４６はフック、４７は突起、４８，４９は掛止穴、５０は接続部材、５１は突起、５２はネジ穴、ｍはメダルである。
【００１１】
実施例１の遊技機１０は、図１に示すように筐体１１の背面に外部から取り込んだメダルｍを内部へ受け入れる受入口１２を開口し、受入口１２の直下の筐体１１の内部に受け入れたメダルｍを払い出し時まで貯留するホッパー１３を取り付けている。メダル搬送ライン２０の途中位置に樋状の分配路３０を取り付け、メダル搬送ライン２０のメダルｍを分配路３０へ誘導する取込装置を備え（図示せず）、分配路３０に取り込まれたメダルｍを筐体１１の受入口１２へ導く中継部４０を設けている。
【００１２】
中継部４０は、図２に示すように遊技機１０の幅方向に横長形状で、上面に横長の取込口４１を開口し、下面の左右いずれか片方寄りの位置に遊技機１０の受入口１２と連通する排出口４２を開口し、底面はメダルｍを排出口４２へ滑落させる傾斜面４３を形成している。長手方向の対向する側壁４４は分離して複数の掛止穴４５と突起４７で取り付け位置を上下調整可能に脱着できるようにし、下端のフック４６は中継部４０の上縁部又は掛止穴４８に掛止して取り付けを強固に保持できるようにしている。
【００１３】
遊技機１０の受入口１２には連通する接続部材５０を取り付け、接続部材５０に中継部４０の排出口４２を掛止穴４９と突起５１で中継部４０の取り付け位置を遊技機１０の奥行き方向へ調整できるように脱着自在に取り付けている。
【００１４】
実施例１では、図３（ａ）に示すように遊技機１０の受入口１２の位置ｂが下方寄りの場合は、対向する側壁４４をそれぞれ最上位置に取り付ける。図３（ｂ）に示すように受入口１２の位置ｂが中位の場合は、遊技機１０とは反対側に面する側壁４４をメダルｍが外部へこぼれない間隔ａとなる中位置に取り付ける。図３（ｃ）に示すように受入口１２の位置ｂが上方寄りの場合は、遊技機１０とは反対側に面する側壁４４を最下位置に取り付ける。遊技機１０とは反対側に面する側壁４４とノズル３１との間隔ａはいずれも１０ｍｍ程度に保持される。
【００１５】
このように、遊技機１０とは反対側に面する側壁４４はノズル３１と接触せず且つメダルｍが外部へこぼれない間隔ａとなる位置に取り付け、対向する側壁４４は少なくともノズル３１の路端より高く配置される位置に取り付けることで、稼動時はメダルｍをこぼすことなく従来通り円滑に供給し、メンテナンス等で遊技機１０を手前へ引き出す際は、分配路３０のノズル３１が中継部４０に接触することなく水平移動でき、中継部４０の取り外し作業が省略されてメンテナンスや調整、新台への入れ替え作業を迅速に実施でき、作業を大幅に省力化できる。
【００１６】
新台への入れ替え等で受入口１２の位置が異なる遊技機１０と交換する場合は、中継部４０を新しい遊技機１０の受入口１２に取り付け替え、定位置に設置する。図４（ａ），（ｂ）に示すように分配路３０のノズル３１は受入口１２の位置に応じて左右にずれるが、ノズル３１の位置が取込口４１の横幅の範囲内であれば遊技機１０を定位置に設置でき、分配されたメダルｍは傾斜面４３を滑落して円滑に供給される。
【００１７】
受入口１２の位置が取込口４１の横幅以上に大きく異なる場合は、図４（ｃ）に示すように中継部４０を左右逆向きに固定するとともに、遊技機１０側に配置された側壁４４は最上位置に取り付け直し、遊技機１０とは反対する側に配置された側壁４４はノズル３１と接触せず且つメダルｍが外部へこぼれない間隔となる位置に取り付け直すことで、メダルｍの取り込み可能範囲が遊技機１０の幅方向へ移行し、遊技機１０の定位置への設置を維持できる。分配路３０のノズル３１と中継部４０の排出口４２が鉛直方向に連通する場合は、中継部４０は左右どちらの向きに取り付けてもよい。
【００１８】
遊技機１０の筐体１１の奥行きが交換前の遊技機１０と若干異なる場合は、図５に示すように中継部４０を接続部材５０に対して掛止穴４９と突起５１で遊技機１０の奥行き方向へ取り付け位置をずらすことで設置位置を容易に調整できる。
【実施例２】
【００１９】
図６に示す実施例２は、中継部の排出口を遊技機の受入口に直接固定したメダル供給経路の構造の例である。図６は実施例２のメダル供給経路の側面図である。実施例２では、図６に示すように中継部４０の排出口５２を遊技機１０の背面側へ曲折して受入口１２と直接固定できる構造にしており、分配路３０のノズル３１の位置が取込口４１の横幅の範囲内であれば遊技機１０を定位置に設置でき、実施例１と比較して低コストで実施できる。その他、符号、構成、作用効果は実施例１と同じである。
【産業上の利用可能性】
【００２０】
本発明の遊技機のメダル供給経路の構造は、メダルを用いて遊技する全ての遊技機に利用できる。
【図面の簡単な説明】
【００２１】
【図１】実施例１のメダル供給経路の側面図である。
【図２】実施例１の中継部の一部切り欠き分解斜視図である。
【図３】実施例１の中継部の側壁の取り付けパターンを示す説明図である。
【図４】実施例１の中継部の取り付けパターンを示す説明図である。
【図５】実施例１の遊技機の設置位置の調整を示す説明図である。
【図６】実施例２のメダル供給経路の側面図である。
【符号の説明】
【００２２】
１０  遊技機
１１  筐体
１２  受入口
１３  ホッパー
２０  メダル搬送ライン
３０  分配路
３１  ノズル
４０  中継部
４１  取込口
４２  排出口
４３  傾斜面
４４  側壁
４５  掛止穴
４６  フック
４７  突起
４８，４９  掛止穴
５０  接続部材
５１  突起
５２  ネジ穴
ｍ  メダル
【図１】
2008173147.tif 000003
【図２】
2008173147.tif 000004
【図３】
2008173147.tif 000005
【図４】
2008173147.tif 000006
【図５】
2008173147.tif 000007
【図６】
2008173147.tif 000008